(57)【要約】【課題】演出部材が大きく且つ高速に変位する場合でも、演出部材の動きに追従することが可能なフレキシブルケーブルを備えるパチンコ遊技機を提供する。【解決手段】パチンコ遊技機は、演出システム１６と、遊技機全体を制御する主制御基板とを備える。演出システム１６は、遊技盤上において所定の演出動作を行う大型演出装置１００と、大型演出装置１００を支持する支持部材３００とを有する。大型演出装置１００は、所定の方向に直線往復移動可能な大型演出部材１０６と、大型演出部材１０６に演出を行われるための回路基板とを有する。フレキシブルケーブルＦＣ１，ＦＣ２の一端が主制御基板に接続されており、中間部分がプーリ３１６に掛け渡され、他端が回路基板に接続されている。プーリ３１６にはコイルバネ３１８が取り付けられており、フレキシブルケーブルＦＣ１，ＦＣ２を引っ張っている。【選択図】図２
2012016402.tif 000002
【特許請求の範囲】
【請求項１】
遊技盤上において所定の演出動作を行う演出装置と、遊技機全体を制御する主制御基板と、フレキシブルケーブルとを備えるパチンコ遊技機であって、
前記演出装置は、
所定の方向に直線往復移動可能な演出部材と、
前記演出部材に演出を行わせるための回路基板と、
前記演出部材を駆動して直線往復移動させるための駆動手段とを有し、
前記フレキシブルケーブルの一端は前記主制御基板に接続され、前記フレキシブルケーブルの他端は前記回路基板に接続されており、
前記演出部材の移動によって生ずる前記フレキシブルケーブルを引っ張る力に抗する付勢力を前記フレキシブルケーブルに付与する付勢手段を更に備えることを特徴とする、パチンコ遊技機。
【請求項２】
前記遊技盤を支持し、直線状の長孔が形成された支持部材と、
前記長孔に沿ってスライド可能に取り付けられたプーリとを更に備え、
前記プーリには、前記フレキシブルケーブルの中間部分が掛け回されており、
前記付勢手段は、前記プーリに取り付けられていることを特徴とする、請求項１に記載されたパチンコ遊技機。
【発明の詳細な説明】
【技術分野】
【０００１】
本発明は、パチンコ遊技機に関する。
【背景技術】
【０００２】
従来、遊技盤面上において、演出部材を上下動させることにより、特徴的な演出を行うパチンコ遊技機が知られている（例えば、特許文献１参照）。特許文献１に記載のパチンコ遊技機は、回転駆動源と、演出のための従動プレートが取り付けられていると共に回転駆動源に対して直動可能に設けられた直動部材と、回転駆動源の回転を直動部材の直動動作に変換するための回転直動変換機構とを備えている。
【０００３】
回転直動変換機構は、回転駆動源により回転駆動されるリールと、リールに巻回された直動巻回ベルトとを有する。直動巻回ベルトは、帯状をなし、一端部がリールに固定され、他端部が直動部材に固定されている。直動巻回ベルトは、回転駆動源がリールを回転駆動させるのに伴いリールに巻回されるとき、弾性変形してリールに巻き付いて保持され、同時に、直動部材をリール側に引っ張る。直動巻回ベルトは、回転駆動源がリールを回転駆動させるのに伴いリールから引き出されるとき、弾性復元して突っ張り状態となり、同時に、直動部材をリールから離れた側に押し出す。これにより、遊技盤面上において従動プレートが上下動することとなる。
【０００４】
このように、従来のパチンコ遊技機では、遊技盤面上において演出部材を上下動させることによって遊技者を惹きつけ、遊技者に対する興趣の向上を図っていた。しかしながら、従来のパチンコ遊技機には、フレーム部材にガイド溝が設けられており、直動部材に設けられた直動ガイド部材がこのガイド溝に係合している。そのため、演出部材が上下動する際に、直動ガイド部材とガイド溝との間に摩擦力が生じてしまう。従って、従来のパチンコ遊技機では、演出部材の長距離移動や高速移動が困難であった。また、遊戯中、演出部材の上下動のみならず、直動ガイド部材の上下動も遊技者に目視されてしまうため、遊技者の注意が演出部材でなく直動ガイド部材に向けられてしまう虞があった。
【０００５】
そこで、フレーム部材のガイド溝と係合する直動ガイド部材を用いることなく、自立して演出部材を上下動させることのできる演出装置を備えたパチンコ遊技機が知られている（例えば、特許文献２，３を参照）。特許文献２，３に記載のパチンコ遊技機は、固定部に設けられた駆動モータと、上下方向にスライド可能となるように固定部に取り付けられたベース部材と、演出部材が設けられており、ベース部材に対して上下方向にスライド可能となるようにベース部材に取り付けられた第１ラックと、ベース部材に対して上下方向にスライド可能となるようにベース部材に取り付けられた第２ラックと、第１ラックと第２ラックとの間にそれぞれ噛合した状態でベース部材に取り付けられた伝達ギアと、第１ラックに設けられた第１ラックストッパと、第２ラックに設けられた第２ラックストッパと、これらを収納するケース部材とを有する演出装置を備えている。
【０００６】
ケース部材に設けられた上係止部に第２ラックストッパが当接している初期状態から、駆動モータが一方向に回転駆動されると、複数の歯車を介してベース部材を下方向に移動させる。ベース部材が下方向に移動すると同時に、第１ラックが自重によって下方向に移動する。そのため、第１ラックに設けられた演出部材も下方向に移動する。このとき、第１ラックの歯状の第１連繋部と、第２ラックの歯状の第２連繋部とが共に連結ギアと歯合しているが、初期状態において第２ラックストッパが上係止部に当接しているので、第２ラックは移動しない。
【０００７】
第１ラックストッパがベース部材の中板に設けられた長孔の下端縁に当接するまで、第１ラックが下降すると、第１ラックストッパと長孔の下端縁とが当接した状態を保持したまま、第２ラックストッパが上係止部から離れ、ベース部材がさらに下方に移動する。これにより、演出部材は、ベース部材の移動距離に、ベース部材に対する第１ラックの相対移動距離を加えた距離を変位することとなる。従って、演出部材を大きく変位させることで遊技者を惹きつけることのできる演出装置が、コンパクトに提供される。
【先行技術文献】
【特許文献】
【０００８】
【特許文献１】特開２００８−１９４３１３号公報
【特許文献２】特開２００７−３１９３７４号公報
【特許文献３】特開２００７−３１９３７５号公報
【発明の概要】
【発明が解決しようとする課題】
【０００９】
ところで、より効果的な演出を目的として回路基板を演出部材に取り付け、演出部材を発光させたり回転させたりすることが考えられる。この場合、演出部材に取り付けられた回路基板と、パチンコ遊技機の遊技盤の裏側に配置され、遊技機全体を制御する主制御基板とを、フレキシブルケーブル等で接続する必要がある。
【００１０】
しかしながら、特許文献２，３に記載のパチンコ遊技機では、演出部材が大きく且つ高速に変位しうるため、主制御基板と演出部材の回路基板とをフレキシブルケーブルで接続すると、フレキシブルケーブルが演出部材の動きに追従することが困難であった。また、演出部材が大きく且つ高速に変位することで、フレキシブルケーブルが断線してしまう虞もあった。
【００１１】
そこで、本発明は、演出部材が大きく且つ高速に変位する場合でも、演出部材の動きに追従することが可能なフレキシブルケーブルを備えるパチンコ遊技機を提供することを目的とする。
【課題を解決するための手段】
【００１２】
本発明に係るパチンコ遊技機は、遊技盤上において所定の演出動作を行う演出装置と、遊技機全体を制御する主制御基板と、フレキシブルケーブルとを備えるパチンコ遊技機であって、演出装置は、所定の方向に直線往復移動可能な演出部材と、演出部材に演出を行わせるための回路基板と、演出部材を駆動して直線往復移動させるための駆動手段とを有し、フレキシブルケーブルの一端は主制御基板に接続され、フレキシブルケーブルの他端は回路基板に接続されており、演出部材の移動によって生ずるフレキシブルケーブルを引っ張る力に抗する付勢力をフレキシブルケーブルに付与する付勢手段を更に備えることを特徴とする。
【００１３】
本発明に係るパチンコ遊技機によれば、演出部材の移動によって生ずるフレキシブルケーブルを引っ張る力に抗する付勢力を、付勢手段がフレキシブルケーブルに付与している。そのため、演出部材が移動したとしても、付勢手段によって付勢力がフレキシブルケーブルに付与されるため、フレキシブルケーブルがたるむことがない。その結果、演出部材が大きく且つ高速に変位する場合でも、フレキシブルケーブルが演出部材の動きに追従できるようになる。
【００１４】
また、本発明に係るパチンコ遊技機において、遊技盤を支持し、直線状の長孔が形成された支持部材と、長孔に沿ってスライド可能に取り付けられたプーリとを更に備え、プーリには、フレキシブルケーブルの中間部分が掛け回されており、付勢手段は、プーリに取り付けられている。
【発明の効果】
【００１５】
本発明によれば、演出部材が大きく且つ高速に変位する場合でも、演出部材の動きに追従することが可能なフレキシブルケーブルを備えるパチンコ遊技機を提供することができる。
【図面の簡単な説明】
【００１６】
【図１】図１は、本実施形態に係るパチンコ遊技機の正面図である。
【図２】図２は、演出システムの全体を示す正面図である。
【図３】図３は、大型演出装置の正面図である。
【図４】図４は、大型演出装置を分解して示す前方斜視図である。
【図５】図５は、大型演出装置を分解して示す後方斜視図である。
【図６】図６は、ベース部材及びその周辺の構成を示す前方斜視図である。
【図７】図７は、ベース部材及びその周辺の構成を示す後方斜視図である。
【図８】図８は、スライド部材及びその周辺の構成を示す前方斜視図である。
【図９】図９は、スライド部材及びその周辺の構成を示す後方斜視図である。
【図１０】図１０は、大型演出部材及びその周辺の構成を示す前方斜視図である。
【図１１】図１１は、大型演出部材及びその周辺の構成を示す後方斜視図である。
【図１２】図１２は、回転板及びその周辺の構成を示す後方斜視図である。
【図１３】図１３は、支持部材の一部を概略的に示す後方斜視図である。
【発明を実施するための形態】
【００１７】
本発明に係るパチンコ遊技機１の好適な実施形態について、図面を参照して説明する。なお、説明において、同一要素又は同一機能を有する要素には同一符号を用いることとし、重複する説明は省略する。
【００１８】
［パチンコ遊技機の全体構造］
パチンコ遊技機１は、図１に示されるように、筐体１０と、筐体１０に対して開閉可能に取り付けられたフロント扉１２と、筐体１０内に配置された遊技盤１４と、遊技盤１４の背後に配置された演出システム１６と、図示しない主制御基板とを備える。
【００１９】
フロント扉１２の略中央部には、ガラス板１２ａが取り付けられており、このガラス板１２ａを通して遊技盤１４の全体が視認可能となっている。フロント扉１２の下部には、遊技球を貯蔵可能な上皿１２ｂと、上皿１２ｂに貯蔵されている遊技球を遊技盤１４の上部に向けて発射するための発射ハンドル１２ｃが設けられている。遊技盤１４には、多数の遊技釘１４ａと、開口部１４ｂと、入賞口１４ｃとが設けられている。
【００２０】
演出システム１６は、図２に示されるように、大型演出装置１００と、一対の小型演出装置２００と、大型演出装置１００及び小型演出装置２００が取り付けられている支持部材３００とを有する。演出システム１６は、図１に示されるように、大型演出装置１００及び小型演出装置２００が遊技盤１４の開口部１４ｂから視認可能となるように、筐体１０内に配置されている。
【００２１】
小型演出装置２００は、一対の小型演出部材２０２Ａ，２０２Ｂと、図示しないモータとを有する。一対の小型演出部材２０２Ａ，２０２Ｂは、例えば互いに交互に上下動するように、モータによって駆動される。
【００２２】
［大型演出装置の詳細な構造］
図２〜図１２を参照して、大型演出装置１００の詳細な構造を説明する。大型演出装置１００は、ベース部材１０２と、ベース部材１０２にスライド可能に取り付けられたスライド部材１０４（第１のスライド部材）と、スライド部材１０４に取り付けられた大型演出部材１０６とを有する。大型演出部材１０６は、スライド部材１０４を介して、ベース部材１０２に対して往復可能に直線移動できるように構成されている（図２の二点鎖線を参照）。本実施形態において、演出部材１０６は、上下方向に往復移動するが、左右方向や斜め方向に演出部材１０６を往復運動させてもよい。
【００２３】
［ベース部材について］
ベース部材１０２は、図６及び図７に示されるように、背板１０２ａと、一対の側板１０２ｂ，１０２ｃと、一対のフランジ１０２ｄ，１０２ｅと、天板１０２ｆとを有する。ベース部材１０２は、プラスチックが成形されたものである。そのため、背板１０２ａ、側板１０２ｂ，１０２ｃ、フランジ１０２ｄ，１０２ｅ及び天板１０２ｆは、一体的に形成されている。
【００２４】
側板１０２ｂ，１０２ｃは、背板１０２ａの両端にそれぞれ形成されており、背板１０２ａに対して垂直方向（図６及び図７において前方）に延びている。そのため、背板１０２ａ及び側板１０２ｂ，１０２ｃの断面がコ字形状を呈している。フランジ１０２ｄは、側板１０２ｂの前端に設けられており、側板１０２ｂに対して垂直方向で且つ外方（図６において左方向；図７において右方向）に延びている。フランジ１０２ｅは、側板１０２ｃの前端に設けられており、側板１０２ｃに対して垂直方向で且つ外方（図６において右方向；図７において左方向）に延びている。
【００２５】
天板１０２ｆは、背板１０２ａ及び側板１０２ｂ，１０２ｃの上端に設けられている。天板１０２ｆの側板１０２ｂ及びフランジ１０２ｄ寄りの部分には、切欠き部１０２ｇが形成されており、フレキシブルケーブルＦＣ１，ＦＣ２（詳しくは後述する）が通過可能とされている。
【００２６】
背板１０２ａには、ラックギア１０８（第１のラックギア）と、三つの長円形状の長孔１１０，１１２，１１４と、矩形状の開口部１１６とが形成されている。ラックギア１０８及び長孔１１０，１１２，１１４は、いずれも、図６の上下方向に沿って直線状に延びている。なお、ラックギア１０８は、背板１０２ａの内面（側板１０２ｂ，１０２ｃが突出している側の面）に形成されている。
【００２７】
背板１０２ａの外面には、ギアボックス１１８が取り付けられている。図７に示されるように、ギアボックス１１８は、モータ１２０（駆動手段）と、筐体１２２と、段付きの歯車部材１２４と、二つの歯車部材１２６，１２８とを有する。モータ１２０の軸１２０ａには、ネジ歯車１２０ｂが設けられている。
【００２８】
筐体１２２は、取付け板１２２ａと、支持板１２２ｂと、補助板１２２ｃとを有する。取付け板１２２ａ及び補助板１２２ｃは、支持板１２２ｂの両端にそれぞれ形成されており、支持板１２２ｂに対して垂直方向に延びている。そのため、取付け板１２２ａ、支持板１２２ｂ及び補助板１２２ｃの断面がコ字形状を呈している。
【００２９】
取付け板１２２ａ及び補助板１２２ｃには、それぞれ開口部が形成されている。そして、モータ１２０のネジ歯車１２０ｂが取付け板１２２ａと補助板１２２ｃとの間に位置するように、取付け板１２２ａ及び補助板１２２ｃの各開口部内にモータ１２０の軸１２０ａが挿通されている。支持板１２２ｂは、各歯車部材１２４，１２６，１２８を回転可能に支持している。歯車部材１２４，１２６，１２８は、その順でベース部材１０２の背板１０２ａに近づくように配列されている。特に、歯車部材１２８の一部は、開口部１１６を通って背板１０２ａの内面側に位置している。
【００３０】
歯車部材１２４は、小径のはす歯歯車１２４ａと、はす歯歯車１２４ａよりもやや径の大きな平歯車１２４ｂとが同軸となって一体的に形成された段付き歯車である。はす歯歯車１２４ａは、モータ１２０のネジ歯車１２０ｂと歯合しており、平歯車１２４ｂは、歯車部材１２６と歯合している。歯車部材１２６は、歯車部材１２８とも歯合している。
【００３１】
［スライド部材について］
スライド部材１０４は、図８及び図９に示されるように、背板１０４ａと、一対の側板１０４ｂ（第１の側部），１０４ｃ（第２の側部）と、一対の直線状のフランジ１０４ｄ（第１のレール部材），１０４ｅ（第２のレール部材）と、天板１０４ｆとを有する。スライド部材１０４は、プラスチックが成形されたものである。そのため、背板１０４ａ、側板１０４ｂ，１０４ｃ、フランジ１０４ｄ，１０４ｅ及び天板１０４ｆは、一体的に形成されている。
【００３２】
側板１０４ｂ，１０４ｃは、背板１０４ａの両端にそれぞれ形成されており、背板１０４ａに対して垂直方向（図８及び図９において前方）に延びている。そのため、背板１０４ａ及び側板１０４ｂ，１０４ｃの断面がコ字形状を呈している。フランジ１０４ｄは、側板１０４ｂの前端に設けられており、側板１０４ｂに対して垂直方向で且つ外方（図８において左方向；図９において右方向）に延びている。フランジ１０４ｅは、側板１０４ｃの前端に設けられており、側板１０４ｃに対して垂直方向で且つ外方（図８において右方向；図９において左方向）に延びている。
【００３３】
天板１０４ｆは、背板１０４ａ及び側板１０４ｂ，１０４ｃの上端に設けられている。天板１０４ｆの側板１０４ｂ及びフランジ１０４ｄ寄りの部分には、切欠き部１０４ｇが形成されており、後述するフレキシブルケーブルＦＣ１，ＦＣ２が通過可能とされている。天板１０４ｆの中央部分には、切欠き部１０４ｈが形成されている。切欠き部１０４ｈの奥側の縁には、Ｌ字形状を呈する鉤部材１０４ｉが設けられている。鉤部材１０４ｉの先端は、図８及び図９において上方に向けて延びている。鉤部材１０４ｉには、コイルバネ１３０（弾性部材）の一端が引っ掛けられている。なお、鉤部材１０４ｉは、スライド部材１０４の幅方向における中央よりもやや側板１０４ｃ（フランジ１０４ｅ）寄りに位置しているため、コイルバネ１３０も側板１０４ｃ（フランジ１０４ｅ）寄りに位置している（図３を参照）。
【００３４】
背板１０４ａには、矩形状の長孔１３２が形成されている。長孔１３２は、図８の上下方向に沿って延びている。背板１０４ａの内面（側板１０４ｂ，１０４ｃが突出している側の面）には、ギアボックス１３４が取付けられている。図８に示されるように、ギアボックス１３４は、筐体１３６と、五つの歯車部材１３８（第１の歯車部材），１４０（中間歯車部材），１４２（中間歯車部材），１４４（中間歯車部材），１４６（第２の歯車部材）とを有する。
【００３５】
筐体１３６は、長孔１３２を覆うように、背板１０４ａの内面に取付けられている。筐体１３６の一対の側面は、各歯車部材１３８，１４０，１４２，１４４，１４６を回転可能に支持している。歯車部材１３８，１４０，１４２，１４４，１４６は、その順で上から下へと、長孔１３２に沿って一列に配列されている。歯車部材１３８，１４０，１４２，１４４，１４６は、隣り合う歯車部材と互いに歯合している。具体的には、歯車部材１４０は歯車部材１３８，４２と歯合しており、歯車部材１４４は歯車部材１４２，１４６と歯合している。
【００３６】
歯車部材１３８は、歯車部材１４０，１４２，１４４よりも背板１０４ａの外面側に位置している。具体的には、歯車部材１３８の半分程度が、長孔１３２を通って背板１０４ａの外面側に位置している（図９を参照）。そのため、図５に示されるように、ベース部材１０２とスライド部材１０４とが組み合わされたとき、歯車部材１３８は、ラックギア１０８と歯合する。また、図８に戻って、歯車部材１４６は、歯車部材１４０，１４２，１４４よりも背板１０４ａの内面側に位置している。具体的には、歯車部材１４６のほぼ全部が、長孔１３２を通っていない（図９を参照）。
【００３７】
背板１０４ａの外面には、図９に示されるように、ラックギア１４８と、三つの突出部材１５０，１５２，１５４とが形成されている。ラックギア１４８は、図９の上下方向に沿って直線状に延びている。図５に示されるように、ベース部材１０２とスライド部材１０４とが組み合わされたとき、ラックギア１４８は、歯車部材１２８と歯合する。
【００３８】
図９に戻って、突出部材１５０，１５２，１５４は、いずれも、断面が長円形状を呈する柱状体である。突出部材１５０は、背板１０４ａの外面のうち天板１０４ｆ及び側板１０４ｂ寄りに位置している。突出部材１５２は、背板１０４ａの外面のうち天板１０４ｆ及び側板１０４ｃ寄りに位置している。突出部材１５４は、背板１０４ａの外面のうち天板１０４ｆ寄りで且つ突出部材１５０とラックギア１４８との間に位置している。そのため、図５に示されるように、ベース部材１０２とスライド部材１０４とが組み合わされたとき、突出部材１５０は長孔１１０内に配置され、突出部材１５２は長孔１１２内に配置され、突出部材１５４は長孔１１４内に配置される。
【００３９】
このとき、突出部材１５０，１５２の高さは、突出部材１５４の高さよりも高いため、突出部材１５０，１５２の各端面は長孔１１０，１１２からやや突き出ており、突出部材１５４の端面は長孔１１４から露出していない。端面が露出している突出部材１５０には、ネジ１５６によって係止板１５８が取付けられている。同じく、端面が露出している突出部材１５２には、ネジ１６０によって係止板１６２が取付けられている。これにより、ベース部材１０２とスライド部材１０４とが組み合わされる。その結果、各突出部材１５０，１５２，１５４が各長孔１１０，１１２，１１４内をスライドすることにより、スライド部材１０４がベース部材１０２に対して各長孔１１０，１１２，１１４に沿って往復可能に直線移動することとなる。
【００４０】
［大型演出部材について］
大型演出部材１０６は、図１０及び図１１に示されるように、スライド部材１６４（第２のスライド部材）と、回路基板１６６（図１１を参照）と、図柄が描かれた回転板１６８（図１０を参照）と、カバー部材１７０とを有する。スライド部材１６４は、図１１に示されるように、背板１６４ａと、一対の直線状のガイド部材１６４ｂ（第１のガイド部材），１６４ｃ（第２のガイド部材）とを有する。ガイド部材１６４ｂ，１６４ｃは、背板１６４ａの両端にそれぞれ形成されており、図１１の上下方向に沿って延びている。ガイド部材１６４ｂ，１６４ｃは、共に、断面Ｌ字形状を呈するアングル状の部材であり、先端が互いに向かい合うように、背板１６４ａに配設されている。図４及び図５に示されるように、スライド部材１０４と大型演出部材１０６とが組み合わされたとき、ガイド部材１６４ｂ，１６４ｃにスライド部材１０４のフランジ１０４ｄ，１０４ｅがそれぞれ挿入され、ガイド部材１６４ｂ，１６４ｃとスライド部材１０４のフランジ１０４ｄ，１０４ｅとがそれぞれ係合する。その結果、大型演出部材１０６がスライド部材１０４に対して各ガイド部材１６４ｂ，１６４ｃに沿って往復可能に直線移動することとなる。
【００４１】
図１１に戻って、ガイド部材１６４ｂの上端で且つ先端の端面には、当該端面から突出する突出片１６４ｄ（第１の突出部材）が設けられている。突出片１６４ｄは、ガイド部材１６４ｃに向けて突出しており、先端に向かうにつれて先細りとなっている。ガイド部材１６４ｃの中央よりもやや上方で且つ先端の端面には、当該端面から突出する突出片１６４ｅ（第２の突出部材）が設けられている。突出片１６４ｅは、ガイド部材１６４ｂに向けて突出しており、先端に向かうにつれて先細りとなっている。
【００４２】
突出片１６４ｄと突出片１６４ｅとは、ガイド部材１６４ｂ，１６４ｃの延在方向（図１１の上下方向）において互い違いとなるように位置している。また、突出片１６４ｄと突出片１６４ｅとは、ガイド部材１６４ｂ，１６４ｃの延在方向に垂直な方向（スライド部材１６４の幅方向）から見て重なり合わないように、各ガイド部材１６４ｂ，１６４ｃに配設されている。すなわち、本実施形態において、突出片１６４ｄは上側に位置しており、突出片１６４ｅは下側に位置している。言い換えれば、スライド部材１０４がベース部材１０２から引き出されておらず、スライド部材１６４がスライド部材１０４から引き出されていない状態における大型演出部材１０６の位置（大型演出部材１０６の移動前の初期位置）側に、突出片１６４ｄが位置している。また、スライド部材１０４がベース部材１０２から引き出されていると共に、スライド部材１６４がスライド部材１０４から引き出されている状態における大型演出部材１０６の位置（大型演出部材１０６の移動後の変位位置）側に、突出片１６４ｅが位置している。
【００４３】
ここで、突出片１６４ｄと突出片１６４ｅとの直線距離Ｌ１（図１１を参照）は、スライド部材１０４の側板１０４ｂと側板１０４ｃとの幅Ｌ２（図９を参照）以上となるように設定されている（Ｌ１≧Ｌ２）。また、ガイド部材１６４ｂ，１６４ｃの延在方向（大型演出部材１０６の移動方向）に垂直な方向（スライド部材１６４の幅方向）における突出片１６４ｄと突出片１６４ｅとの間隔Ｌ３（図１１を参照）は、スライド部材１０４の側板１０４ｂと側板１０４ｃとの幅Ｌ２（図９を参照）と略同一となるように設定されている。
【００４４】
図１１に戻って、背板１６４ａの内面（ガイド部材１６４ｂ，１６４ｃが設けられていない側の面）には、回路基板１６６が取付けられている。回路基板１６６は、自身に取付けられたＬＥＤ等の発光手段や、回転板１６８の回転を制御する。回路基板１６６の外面には、コネクタ１７２，１７４が設けられており、背板１６４ａに形成された開口部１７６から露出している。コネクタ１７２は、フレキシブルケーブルＦＣ１の一端と接続されており、コネクタ１７４は、フレキシブルケーブルＦＣ２の一端と接続されている。
【００４５】
背板１６４ａの外面には、ラックギア１７８が形成されている。ラックギア１７８は、図１１の上下方向に沿って直線状に延びている。図５に示されるように、スライド部材１０４と大型演出部材１０６とが組み合わされたとき、ラックギア１７８は、歯車部材１４６と歯合する。
【００４６】
背板１６４ａの外面には、支持板１８０が取付けられている。支持板１８０は、Ｌ字形状を呈しており、水平部分１８０ａと、垂直部分１８０ｂとを有している。水平部分１８０ａには、下向きに延びる突出片１８０ｃが設けられおり、コイルバネ１３０の他端が引っ掛けられている（図５を参照）。そのため、コイルバネ１３０により、スライド部材１６４（大型演出部材１０６）とスライド部材１０４とを互いに引き合う弾性力が、スライド部材１６４（大型演出部材１０６）及びスライド部材１０４に付与されることとなる。なお、コイルバネ１３０は、スライド部材１０４との関係では側板１０４ｃ（フランジ１０４ｅ）寄りに位置していることから、スライド部材１６４との関係ではガイド部材１６４ｃ寄りに位置していることとなる。
【００４７】
図１１及び図１２に示されるように、水平部分１８０ａは、モータ１８２を支持している。水平部分１８０ａには開口部が形成されており、その開口部内にモータ１８２の軸１８２ａが挿通されている。モータ１８２の軸１８２ａには、ネジ歯車１８２ｂが設けられている。ネジ歯車１８２ｂは、回路基板１６６に回転可能に支持された歯車部材１８４と歯合しており、歯車部材１８４は、回路基板１６６に回転可能に支持された歯車部材１８６と歯合している。図１２に示されるように、歯車部材１８６には、回転板１６８が軸１６８ａを介して取付けられている。そのため、回路基板１６６がモータ１８２を制御してモータ１８２を回転させることで、回転板１６８が回転することとなる。
【００４８】
カバー部材１７０は、回路基板１６６及び回転板１６８を覆うように、スライド部材１６４に取付けられている。カバー部材１７０の中央には開口部１７０ａが形成されており、その開口部１７０ａから回転板１６８の図柄が視認できるようになっている。なお、カバー部材１７０及び回転板１６８は、半透明あるいは透明なプラスチックからなっており、回路基板１６６に取付けられたＬＥＤ等の発光手段からの光が透過する。そのため、回転板１６８の回転と発光手段による発光とが相俟って、効果的な演出がなされることとなり、遊技者を遊技に惹きつけることができるようになっている。
【００４９】
［大型演出装置の動作］
続いて、以上の構成を有する大型演出装置１００の動作について、以下に説明する。初期状態では、図３において実線で示されるように、スライド部材１０４はベース部材１０２から引き出されておらず、スライド部材１６４はスライド部材１０４から引き出されていない。すなわち、ベース部材１０２と、スライド部材１０４と、大型演出部材１０６とは、互いに重なり合っている。
【００５０】
このように、大型演出部材１０６が移動する前の初期位置にある状態において、主制御基板からの制御信号を受けてモータ１２０が駆動を開始すると、モータ１２０の軸１２０ａに設けられたネジ歯車１２０ｂが回転する（図５及び図７を参照）。ネジ歯車１２０ｂが歯車部材１２４のはす歯歯車１２４ａと歯合しており、歯車部材１２４の平歯車１２４ｂが歯車部材１２６と歯合しており、歯車部材１２６が歯車部材１２８と歯合していることから、ネジ歯車１２０ｂの回転に伴い、歯車部材１２４，１２６，１２８が順次回転する。
【００５１】
ここで、歯車部材１２８がスライド部材１０４のラックギア１４８と歯合しているので、歯車部材１２８の回転により、スライド部材１０４が下方に押し出される（図７を参照）。従って、スライド部材１０４は、ベース部材１０２に対して、各長孔１１０，１１２，１１４に沿って直線移動する。
【００５２】
このとき、スライド部材１０４に取り付けられたギアボックス１３４の歯車部材１３８が、ベース部材１０２のラックギア１０８と歯合している（図４を参照）。そのため、スライド部材１０４が下方に移動すると同時に、ラックギア１０８によって、歯車部材１３８が回転させられる。歯車部材１３８，１４０，１４２，１４４，１４６は、隣り合う歯車部材と互いに歯合していることから、歯車部材１３８の回転に伴い、歯車部材１４０，１４２，１４４，１４６が順次回転する。
【００５３】
ここで、歯車部材１４６がスライド部材１６４のラックギア１７８と歯合しているので、歯車部材１４６の回転により、スライド部材１６４が下方に押し出される（図５を参照）。従って、スライド部材１６４及び大型演出部材１０６は、スライド部材１０４に対して、各ガイド部材１６４ｂ，１６４ｃに沿って直線移動する。
【００５４】
［大型演出装置の作用］
以上のような大型演出装置においては、スライド部材１６４に取り付けられた大型演出部材１０６は、ベース部材１０２に対するスライド部材１０４の移動距離に、スライド部材１０４に対するスライド部材１６４の移動距離を加えた距離を変位することとなる。従って、大型演出部材１０６の大きな変位が、ギアボックス１１８，１３４と、ラックギア１０８，１４８，１７８とが組み合わされた簡単な構成によって、実現される。その結果、大型演出部材１０６の大きな変位を可能としつつ、大型演出装置１００の軽量化及びコストの低減を図ることが可能となる。
【００５５】
ところで、大型演出部材１０６は、遊技者を惹きつけるために、回転板１６８と、ＬＥＤ等の発光手段と、回転板１６８及び発光手段を制御するための回路基板１６６とを有しているので、ある程度の重量がある。そこで、コイルバネ１３０の一端をスライド部材１０４の鉤部材１０４ｉに取り付け、コイルバネ１３０の他端をスライド部材１６４の突出片１８０ｃに取り付けることにより、スライド部材１０４とスライド部材１６４とを互いに引き合う弾性力をスライド部材１０４，１６４に付与している。すなわち、コイルバネ１３０は、スライド部材１６４及び大型演出部材１０６の重量を支えると共に、モータ１２０の駆動力を補う役割を果たしている。
【００５６】
しかしながら、大型演出部材１０６の重心位置や、スライド部材１０４，１６４の移動方向に垂直な方向における各部材（コイルバネ１３０、各フランジ１０４ｄ，１０４ｅ、ラックギア１０８，１７８、ガイド部材１６４ｂ，１６４ｃ、各歯車部材１３８，１４０，１４２，１４４，１４６）の位置のバランスにより、大型演出部材１０６が取り付けられたスライド部材１６４がスライド部材１０４に対して、例えば背面視で反時計回りに傾いてしまう。このとき、スライド部材１０４の各フランジ１０４ｄ，１０４ｅと、スライド部材１６４の各ガイド部材１６４ｂ，１６４ｃとの間に隙間がなければ、このような傾きは生じないものの、フランジ１０４ｄ，１０４ｅとガイド部材１６４ｂ，１６４ｃとが引っ掛かりあってしまい、スライド部材１０４とスライド部材１６４との間においてスムーズな移動ができなくなってしまう。他方、各フランジ１０４ｄ，１０４ｅと各ガイド部材１６４ｂ，１６４ｃとの間に隙間があると、スライド部材１６４及び大型演出部材１０６が傾いたまま移動してしまうので、そのような大型演出部材１０６の動きを見た遊技者が興醒めしてしまう虞がある。
【００５７】
そこで、本発明者等は、スライド部材１０４とスライド部材１６４との間における動きを滑らかにし、大型演出部材１０６の演出効果を阻害しない大型演出装置１００の構成について、鋭意研究を行った。その結果、突出片１６４ｄ，１６４ｅを、それぞれガイド部材１６４ｂ，１６４ｃの所定の位置に設けることによって、各フランジ１０４ｄ，１０４ｅと各ガイド部材１６４ｂ，１６４ｃとの間に隙間があってもスライド部材１６４及び大型演出部材１０６の傾きを抑制でき、且つ、スライド部材１０４，１６４のスムーズな移動を実現することができることを見出した。具体的には、ガイド部材１６４ｂに、ガイド部材１６４ｃ（スライド部材１０４の側板１０４ｂ）に向けて突出する突出片１６４ｄを設け、ガイド部材１６４ｃに、ガイド部材１６４ｂ（スライド部材１０４の側板１０４ｃ）に向けて突出する突出片１６４ｅを設ける。そして、突出片１６４ｄと突出片１６４ｅとを、ガイド部材１６４ｂ，１６４ｃの延在方向（スライド部材１０４，１６４の移動方向）において互い違いとなると共に、ガイド部材１６４ｂ，１６４ｃの延在方向（スライド部材１０４，１６４の移動方向）に垂直な方向（スライド部材１６４の幅方向）から見て重なり合わないように配設する。さらにこのとき、突出片１６４ｄは、突出片１６４ｅと較べて大型演出部材１０６の移動前の初期位置側に位置している。
【００５８】
このような構成とすると、スライド部材１６４の突出片１６４ｄがスライド部材１０４のフランジ１０４ｄ寄りに引きつけられると共に、スライド部材１６４の突出片１６４ｅがスライド部材１０４のフランジ１０４ｅ寄りに引きつけられるような回転（例えば、背面視で反時計回りの回転）が抑制される。
【００５９】
しかも、本実施形態において、突出片１６４ｄと突出片１６４ｅとの直線距離Ｌ１は、スライド部材１０４の側板１０４ｂと側板１０４ｃとの幅Ｌ２以上となるように設定されている（Ｌ１≧Ｌ２）。また、突出片１６４ｄと突出片１６４ｅとの間隔Ｌ３は、スライド部材１０４の側板１０４ｂと側板１０４ｃとの幅Ｌ２と略同一となるように設定されている（Ｌ３≒Ｌ２）。その結果、各フランジ１０４ｄ，１０４と各ガイド部材１６４ｂ，１６４ｃとの間に隙間があってもスライド部材１６４及び大型演出部材１０６の傾きを殆どなくすことができるので、スライド部材１０４，１６４のスムーズな移動を実現することが可能となる。
【００６０】
［支持部材の詳細な構造］
続いて、図２及び図１３を参照して、支持部材３００の詳細な構造を説明する。支持部材３００は、図２に示されるように、大型演出装置１００及び小型演出装置２００の上側において水平方向に延びる水平部分３００ａと、小型演出装置２００の側方において垂直方向に延びる垂直部分３００ｂとを有する。
【００６１】
水平部分３００ａの先端部分には、プーリ３０２が回転可能に支持されている。水平部分３００ａには、二つのローラー３０４，３０６が取り付けられている。ローラー３０６は、垂直部分３００ｂ寄りに位置しており、ローラー３０４は、プーリ３０２とローラー３０６との間に位置している。
【００６２】
垂直部分３００ｂには、開口部３０８と、長円形状の長孔３１０とが形成されている。長孔３１０は、垂直方向（図１３の上下方向）に沿って直線状に延びている。長孔３１０には、スライド部材３１２が長孔３１０に沿ってスライド可能に取り付けられている。具体的には、スライド部材３１２は、中央が全周にわたって窪んだ四角柱部材であり、その窪んだ部分において長孔３１０と係合している。
【００６３】
スライド部材３１２には、軸３１４が突設されており、軸３１４にプーリ３１６が回転可能に支持されている。一端が回路基板１６６のコネクタ１７２，１７４にそれぞれ接続されたフレキシブルケーブルＦＣ１，ＦＣ２は、スライド部材１０４の切欠き部１０４ｇ及びベース部材１０２の切欠き部１０２ｇを通って上方に延び、プーリ３０２、ローラー３０４，３０６及びプーリ３１６の順に掛け渡された後、開口部３０８を通って、図示しない主制御基板に他端が接続される。
【００６４】
軸３１４の先端には、コイルバネ３１８（付勢手段）の一端が引っ掛けられている。コイルバネ３１８の他端は、垂直部分３００ｂの下部に設けられた鉤部材３２０に引っ掛けられている。
【００６５】
［支持部材におけるフレキシブルケーブルに対する作用］
ところで、大型演出部材１０６が初期位置から変位位置に移動すると、フレキシブルケーブルＦＣ１，ＦＣ２は大型演出部材１０６につられて図１３の上方向に引っ張られる。フレキシブルケーブルＦＣ１，ＦＣ２はプーリ３１６に掛け渡されているので、このとき同時に、スライド部材３１２も図１３の上方向に引っ張られる。
【００６６】
一方、本実施形態においては、コイルバネ３１８の付勢力により、スライド部材３１２と、プーリ３１６に掛け渡されたフレキシブルケーブルＦＣ１，ＦＣ２とが、下方に向けて（鉤部材３２０に近づく側に）常に引っ張られている。そのため、大型演出部材１０６が移動したとしても、フレキシブルケーブルＦＣ１，ＦＣ２がたるむことがない。その結果、大型演出部材１０６が大きく且つ高速に変位する場合でも、フレキシブルケーブルＦＣ１，ＦＣ２が大型演出部材１０６の動きに追従できるようになっている。
【００６７】
［他の実施形態］
以上、本発明の好適な実施形態について詳細に説明したが、本発明は上記した実施形態に限定されるものではない。例えば、本実施形態では、突出片１６４ｄと突出片１６４ｅとの直線距離Ｌ１を、スライド部材１０４の側板１０４ｂと側板１０４ｃとの幅Ｌ２以上となるように設定する（Ｌ１≧Ｌ２）と共に、突出片１６４ｄと突出片１６４ｅとの間隔Ｌ３を、スライド部材１０４の側板１０４ｂと側板１０４ｃとの幅Ｌ２と略同一となるように設定していた（Ｌ３≒Ｌ２）が、スライド部材１６４及び大型演出部材１０６の傾きを抑制することができ、大型演出部材１０６に注目する遊技者に不自然な印象を与えることがない場合には、必ずしもこれらの関係を満たしていなくてもよい。
【００６８】
また、本実施形態では、コイルバネ３１８の付勢力によって、スライド部材３１２と、プーリ３１６に掛け渡されたフレキシブルケーブルＦＣ１，ＦＣ２とを、下方に向けて（鉤部材３２０に近づく側に）常に引っ張っていたが、スライド部材３１２に重りを取り付けるなど、種々の付勢手段を用いてフレキシブルケーブルＦＣ１，ＦＣ２を下方に向けて引っ張るようにしてもよい。
【符号の説明】
【００６９】
１…パチンコ遊技機、１４…遊技盤、１６…演出システム、１００…大型演出装置、１０２…ベース部材、１０４…スライド部材（第１のスライド部材）、１０４ｂ…側板（第１の側部）、１０４ｃ…側板（第２の側部）、１０４ｄ…フランジ（第１のレール部材）、１０４ｅ…フランジ（第２のレール部材）、１０６…大型演出部材、１０８…ラックギア（第１のラックギア）、１２０…モータ（駆動手段）、１３０…コイルバネ（弾性部材）、１３８…歯車部材（第１の歯車部材）、１４０，１４２，１４４…歯車部材（中間歯車部材）、１４６…歯車部材（第２の歯車部材）、１６４…スライド部材（第２のスライド部材）、１６４ｂ…ガイド部材（第１のガイド部材）、１６４ｃ…ガイド部材（第２のガイド部材）、１６４ｄ…突出片（第１の突出部材）、１６４ｅ…突出片（第２の突出部材）、１６６…回路基板、１７８…ラックギア（第２のラックギア）、３００…支持部材、３１０…長孔、３１６…プーリ、３１８…コイルバネ（付勢手段）、ＦＣ１，ＦＣ２…フレキシブルケーブル。
【図１】
2012016402.tif 000003
【図２】
2012016402.tif 000004
【図３】
2012016402.tif 000005
【図４】
2012016402.tif 000006
【図５】
2012016402.tif 000007
【図６】
2012016402.tif 000008
【図７】
2012016402.tif 000009
【図８】
2012016402.tif 000010
【図９】
2012016402.tif 000011
【図１０】
2012016402.tif 000012
【図１１】
2012016402.tif 000013
【図１２】
2012016402.tif 000014
【図１３】
2012016402.tif 000015